(57)【要約】【課題】利用者の操作時間が短縮されることと機器の故障・障害の発生頻度を低減する。【解決手段】硬貨についての処理を行う硬貨処理装置であって、投入される硬貨を受け取り、または硬貨処理装置から繰り出された硬貨を受け取る入出金口と、入出金口を開閉する上部シャッタと、硬貨のみ投入可能な開口部を有し、上部シャッタとは独立して入出金口を開閉した透明な下部シャッタと、上部シャッタ及び下部シャッタを開閉させる駆動部と、上部シャッタ及び下部シャッタの動作を駆動部により制御する制御部と、を備える。【選択図】図１
2013156832.tif 000002
【特許請求の範囲】
【請求項１】
硬貨についての処理を行う硬貨処理装置であって、
投入される硬貨を受け取り、または前記硬貨処理装置から繰り出された硬貨を受け取る入出金口と、
前記入出金口を開閉する上部シャッタと、
前記硬貨のみ投入可能な開口部を有し、前記上部シャッタとは独立して前記入出金口を開閉した透明な下部シャッタと、
前記上部シャッタ及び前記下部シャッタを開閉させる駆動部と、
前記上部シャッタ及び前記下部シャッタの動作を前記駆動部により制御する制御部と、
を備えることを特徴とする硬貨処理装置。
【請求項２】
前記入出金口に前記硬貨処理装置に投入される前記硬貨の量の上限を示す目安線を設置している、
ことを特徴とする請求項１に記載の硬貨処理装置。
【請求項３】
前記硬貨処理装置は、さらに利用者に対する前記処理についての案内を表示するための顧客操作部を備え、
前記入出金口の底面付近には前記硬貨の有無を検知する硬貨検知センサが設けられ、
前記制御部は、前記硬貨検知センサが前記硬貨を検知した場合に、異物の混入がないかの確認を促す案内を前記顧客操作部に表示する、
ことを特徴とする請求項１または２に記載の硬貨処理装置。
【請求項４】
前記制御部は、前記硬貨検知センサが前記硬貨を検知した場合に、前記硬貨の投入量が前記目安線を超えていないことの確認を促す案内を前記顧客操作部に表示する、
ことを特徴とする請求項３に記載の硬貨処理装置。
【請求項５】
前記制御部は、前記駆動部により前記上部シャッタを開状態とした場合において、前記異物や前記硬貨の投入量が前記目安線を越えると判定した場合には、さらに前記駆動部により前記下部シャッタを開状態とする、
ことを特徴とする請求項３または４に記載の硬貨処理装置。
【請求項６】
前記案内には、前記目安線以上の量の硬貨が投入された場合に前記処理を行うための操作ができない旨の不可ボタンが表示され、
前記制御部は、前記顧客操作部が不可ボタンの押下を受け付けた場合には、前記上部シャッタを開状態とし、前記硬貨を抜き取ることを促す案内を前記顧客操作部に表示する、
ことを特徴とする請求項３〜５のいずれか１項に記載の硬貨処理装置。
【請求項７】
前記入出金口には、前記硬貨が多量に投入されたことを検知する多量硬貨検知センサが設けられ、
前記案内には、さらに前記入出金口に前記硬貨が投入され、前記顧客操作部に前記硬貨の投入が完了したことを示す確認ボタンが表示され、
前記制御部は、前記確認ボタンが押下された場合において、前記多量硬貨検知センサが検知しない状態である場合にのみ取引処理を実行する、
ことを特徴とする請求項３〜６のいずれか１項に記載の硬貨処理装置。
【発明の詳細な説明】
【技術分野】
【０００１】
本発明は、操作者による硬貨の投入、受け取りを行う入出金口を持つ硬貨処理装置に係り、特に、入出金口を開閉するシャッタ機構に関する。
【背景技術】
【０００２】
従来、ＡＴＭ（Automated  Teller  Machine）等の現金自動取引装置が有する硬貨処理装置において、硬貨を投入し、または硬貨を受け取るための入出金口に設けられたシャッタを２重構造とするものがある。例えば、特許文献１には、硬貨処理装置において、利用者の機器への異物／ゴミ等の混入の機会を低減する目的で２重構造としたシャッタが開示されている。
【０００３】
具体的には、硬貨処理装置は、利用者（操作者）により硬貨の投入、受け取り行う入出金口を有し、その入出金口は中が見えないよう不透明なシャッタにより、通常は閉塞した状態としている。そして、硬貨処理装置は、硬貨の投入、受け取りが必要になった時点でシャッタを開けて入出金口を露出させ、硬貨の投入、受け取りを可能にする。その後、硬貨処理装置は、硬貨投入完了後はシャッタを閉め、入出金口に投入された硬貨を機器内に取り込んで計数処理を行う。また、硬貨受け取り完了時にシャッタを閉めた後、入出金口の硬貨が全て抜き取られたことを確認し、全て抜き取られていれば取引を終了する。抜き取られていなければ、再びシャッタを開けて受け取りを利用者に促す。
【０００４】
このようなシャッタにおいて、利用者が硬貨を投入する際、入出金口を完全に露出すると、硬貨と共にゴミ／異物を投入されてしまう問題がある。このため、投入時は硬貨のみが投入できる開口部を有したシャッタ機構から硬貨を投入してもらい、受け取り時はシャッタを開き、入出金口を完全に露出させて受け取ってもらう。この方法では、入出金口を覆う上部シャッタと、硬貨のみが投入できる開口部を持つ下部シャッタを有する上下２重シャッタ構造になる。投入時は上部シャッタのみを開き、下部シャッタに開けられた開口部から硬貨投入を行い、受け取り時は上部シャッタ/下部シャッタともに開き、入出金口を完全に露出させて受け取りを行う構造としている。
【先行技術文献】
【特許文献】
【０００５】
【特許文献１】特開平１０−３３４３０５号公報
【発明の概要】
【発明が解決しようとする課題】
【０００６】
上下２重の不透明な入出金口シャッタを持つ硬貨処理装置においては、硬貨の投入時に上部シャッタのみが全開し、下部シャッタに設けた硬貨のみが投入できる開口部のみが露出する。この開口部から硬貨を確認しながら少量枚ずつ投入してもらうことにより、装置内に投入されると故障を引き起こす大きなゴミ／異物の混入を防止することができる。
【０００７】
しかし、特許文献１に記載されている方法では、シャッタが不透明であるため、硬貨の投入量が見えず、利用者がどの程度の枚数を投入したかわからない場合がある。そのため、装置の仕様を超える枚数を投入してしまうことがある。このような場合、入出金口部に設置された硬貨の満杯を検知するセンサで硬貨を検出してしまい、利用者に硬貨を抜き取ってもらう必要が生じ、手間がかかってしまう。
【０００８】
また、満杯を検知するセンサで検出せず、入金計数動作に移行した場合でも、装置仕様の入金限度枚数を超えた硬貨を入金することで返却動作に移行し、利用者に返却硬貨を抜き取ってもらう必要性が生じてしまう。さらに、仕様以上の硬貨が投入されることで、入出金口下流の一枚ずつ硬貨を分離する繰出部での繰出効率が低下する頻度が高くなり、処理時間が延びたり、繰出不良による障害が発生し易くなる。
【０００９】
さらに、利用者が誤ってゴミ／異物を投入した場合でも、内部が見えないため、気づかずに計数動作に移行し、投入されたゴミ／異物で、機器の故障や障害が発生し易くなる。
【００１０】
本発明の目的は、利用者が硬貨の投入量と投入物を目視確認できるようにすることで、装置仕様以上の硬貨投入をしないように促すことや、ゴミ／異物の機器内への混入を防ぐことで、利用者の操作時間が短縮されることと機器の故障・障害の発生頻度を低減することにある。
【課題を解決するための手段】
【００１１】
上述した課題を解決し、目的を達成するために、本発明にかかる通帳類取扱装置は、硬貨についての処理を行う硬貨処理装置であって、投入される硬貨を受け取り、または前記硬貨処理装置から繰り出された硬貨を受け取る入出金口と、前記入出金口を開閉する上部シャッタと、前記硬貨のみ投入可能な開口部を有し、前記上部シャッタとは独立して前記入出金口を開閉した透明な下部シャッタと、前記上部シャッタ及び前記下部シャッタを開閉させる駆動部と、前記上部シャッタ及び前記下部シャッタの動作を前記駆動部により制御する制御部と、を備えることを特徴とする。
【発明の効果】
【００１２】
本発明により、利用者が硬貨の投入量、投入物を目視確認できるようにすることで、装置仕様以上の硬貨投入をしないように促すことや、ゴミ／異物の機器内への混入を防止することができるため、利用者の操作時間が短縮できかつ、故障や障害の発生を低減させることが可能になる。
【図面の簡単な説明】
【００１３】
【図１】本発明を表す硬貨処理装置２重シャッタの断面図である。
【図２】本発明が適用される現金自動取引装置の外観図である。
【図３】実施例に共通する硬貨処理装置の全体構成を示す図である。
【図４】実施例に共通する硬貨処理装置のブロック構成図である。
【図５】実施例１における案内画面の表示例を示す図である。
【図６】実施例１における硬貨投入／返却処理のフローチャートである。
【図７】実施例２を表す硬貨処理装置２重シャッタの断面図である。
【図８】実施例２における案内画面の表示例を示す図である（確認時）。
【図９】実施例２における案内画面の表示例を示す図である（抜き取り時）。
【図１０】実施例２における硬貨投入／返却処理のフローチャートである。
【図１１】実施例３を表す硬貨処理装置２重シャッタの断面図である。
【図１２】実施例３における案内画面の表示例を示す図である（確認時）。
【図１３】実施例３における案内画面の表示例を示す図である（抜き取り時）。
【図１４】実施例３における案内画面の表示例を示す図である（抜き取り時）。
【図１５】実施例３における硬貨投入／返却処理のフローチャートである。
【発明を実施するための形態】
【００１４】
以下に添付図面を参照して、本発明にかかる硬貨処理装置の実施の形態を詳細に説明する。以下では、本発明にかかる硬貨処理装置を、ＡＴＭ（Automated  Teller  Machine）等、これと同様の機構を有した装置であれば、適用することが可能である。
【００１５】
まず、図２を参照して本発明の硬貨処理装置が搭載される現金自動取引装置の構成を説明する。現金自動取引装置１００は金融機関等に設置され、利用者の操作によって現金の入金や出金等の取引を行い、利用者の要求する種々の取引を自動的に実行する装置である。図２に示すように、現金自動取引装置１００の内部には、入力兼表示機能を備えた顧客操作部１０５と、カードの読み取り及び明細票発行機能を備えたカード・明細票取扱部１０２と、通帳への取引内容の印字等を行う通帳取扱部１０３と、紙幣の入出金処理を行う紙幣入出金機構部１０４と、硬貨の投入や払い出しを行って硬貨についての処理を行う硬貨処理装置１０１とを有して構成されている。
【００１６】
図３は、本発明の各実施例に係る硬貨処理装置１０１の全体構成を示す図である。硬貨処理装置１０１は、現金自動取引装置１００に内蔵されていて、バラ状態の硬貨４を取扱いの対象としている。図３に示すように、硬貨処理装置１０１は、入出金口３と、繰出し部５と、硬貨識別部６と、入金搬送部７と、一時保留部８と、スタッカ９と、一括スタッカ１０と、を有して構成されている。
【００１７】
入出金口３は、硬貨処理装置１０１の上部（利用者側である上層）に設けられ、投入された入金すべき硬貨４を一時的に保持した後に装置内部に取り込んだり、内部から搬送されて来る出金すべき硬貨を一時的に保持した後に外部に取り出し可能にしたりする。上部シャッタ１および下部シャッタ２は、上部シャッタ１よりも下部（装置内部側である下層）に設けられ、入出金口３を開放または閉塞するもので、それぞれ独立に開閉動作できるように構成されている。
【００１８】
また、繰出し部５は、入出金口３から送られて来る硬貨４を一枚ずつ分離して送り出す。硬貨識別部６は、繰出部５から送られて来る硬貨４の真偽または金種を識別する。入金搬送部７は、入金する硬貨４を金種別にスタッカ９に搬送する。一時保留部８は、硬貨４を一括して一時的に保留する。スタッカ９は、入金搬送部７により搬送されて来る硬貨４を金種別に収納する。一括スタッカ１０は、一時保留部８から排出される硬貨４を一括して収納する。硬貨カセット１１は、補充用の硬貨をセットするためのカセットである。
【００１９】
次に、上記硬貨処理装置１０１の概略動作を説明する。硬貨４の入金処理の場合は、操作者によって顧客操作部１０５が操作されて入金処理の開始が指示されると、制御部（後述）は、上部シャッタ１を開いて下部シャッタ２を露出させる。そして、下部シャッタ２に設けられた開口部１２からバラ状態の硬貨４が投入されると、制御部は、上部シャッタ１を閉じて入出金口３を閉塞し、投入された硬貨４を入出金口３に一時的に保持した後に内部に取り込む。硬貨４が取り込まれると、繰出部５が硬貨４を一枚ずつ分離して硬貨識別部６に搬送し、硬貨識別部６が硬貨４の真偽判定と金種判定を行う。このとき、硬貨識別部６で識別された硬貨４は、一時保留部８に搬送される。その後、投入された全ての硬貨４の識別が完了すると、入金金額の算出を行い、入金金額を顧客操作部１０５に表示する。ここで、顧客によって顧客操作部１０５が操作されて収納の実行が指示されると、一時保留部８にある硬貨４を一括スタッカ１０へ収納するか、もしくは入金搬送部７を経由し金種別にスタッカ９に収納する。そして、投入された全ての硬貨４の収納が完了すると、入金処理が終了になる。
【００２０】
図４は上記硬貨処理装置１０１のブロック構成図である。図４に示すように、硬貨処理装置１０１は、上部シャッタ１を駆動するモータ３２と、上部シャッタ１の開状態を確認するセンサ３３と、上部シャッタ１の閉状態を確認するセンサ３４と、下部シャッタ２を駆動するモータ３５と、下部シャッタ２の開状態を確認するセンサ３６と、下部シャッタ２の閉状態を確認するセンサ３７と、ＲＯＭ（Read  Only  Memory）やＲＡＭ（Random  Access  Memory）等から構成されるメモリ３８と、硬貨処理装置１０１の動作全体を制御するＣＰＵ（Central  Processing  Unit）からなる制御部３１と、を有して構成されている。また、硬貨処理装置１０１はその上位装置３９に接続され、上位装置３９を介して顧客操作部１０５が受け付けた操作に応じた制御を行ったり、上位装置３９を介して硬貨処理装置１０１が行った処理の結果を出力する。上位装置３９は、硬貨処理装置１０１が内蔵される自動取引装置１００の制御部を司るものである。
【実施例１】
【００２１】
図１は、硬貨処理装置１０１が有する上下２重シャッタと入出金口３の断面図である。本断面図を用いて、構成を説明する。図１に示すように、上部シャッタ１は下部シャッタ２と接して重なっており、スライドして開閉することが可能である。上部シャッタ１の開動作Ａにより、下部シャッタ２と開口部１２を露出させる。下部シャッタ２は、上部シャッタ１と独立にスライドして開閉することが可能である。また、下部シャッタ２の中央部には、硬貨４のみが通過できる開口部１２が設けられている。入出金口３は、通常は上部シャッタ１と下部シャッタ２で覆われており、入金時に上部シャッタ１が開くことにより、下部シャッタ２の開口部１２から硬貨４の投入を行うことが可能になる。
【００２２】
本実施例では、下部シャッタ２を透明な部材で構成し、かつ、下部シャッタ２と入出金口３に目安線２aおよび３aを設けることで、利用者は、自身が投入した硬貨の量を認識することができる。さらに、図５に示すような案内を行うことにより、装置仕様以上の量の硬貨が投入されることを防止することができる。
【００２３】
図６を用いて、実施例１における硬貨投入処理手順を説明する。図６は、図１で示される実施例１における硬貨の投入処理のフローチャートである。先ず、制御部３１は、上部シャッタ１を開けて（Ｓ６０１）、図１で表されるような開口部１２への硬貨の投入案内を顧客操作部１０５に表示させる（Ｓ６０２）。この際、制御部３１は、上述したように目安線２a・３aを上限位置とした硬貨の投入を促す。そして、制御部３１は、顧客操作部１０５が、硬貨の投入が完了した旨の確認ボタンの押下を受け付けたか否かを判定し（Ｓ６０３）、確認ボタンの押下を受け付けたと判定した場合（Ｓ６０３；Ｙｅｓ）、上部シャッタ１を閉じ（Ｓ６０４）、入金取引を開始する（Ｓ６０５）。一方、制御部３１は、確認ボタンの押下を受け付けていないと判定した場合（Ｓ６０３；Ｎｏ）、硬貨の投入案内（Ｓ６０２）を表示し続ける。
【実施例２】
【００２４】
図７は、実施例２における硬貨処理装置１０１が有する上下２重シャッタと入出金口３の断面図である。本断面図を用いて、構成を説明する。図７に示すように、入出金口３は、硬貨検知センサ３bを有し、実施例１の場合と同様に下部シャッタ２が透明であり、かつ投入目安線２ａ／３ａを有する。下部シャッタ２の開口部１２から投入された硬貨４aは、硬貨検出センサ３ｂにて検出される。この時に、制御部３１は、図８に示すような異物がないことの確認と目安線以下の硬貨量を投入しているかを確認する案内を顧客操作部１０５に表示させる。
【００２５】
本実施例で示すように、下部シャッタ２が透明であるため、利用者が下部シャッタ内部の状態を確認することができる。そのため、利用者は、異物／ゴミの混入が確認された場合や、目安線以上の硬貨を投入している場合は、顧客操作部１０５に表示されている操作ができないこと示す「不可」のボタンを押し、制御部３１がその操作により下部シャッタ２を開状態とし、利用者自らが異物や硬貨を除去することが可能になる。
【００２６】
さらに、制御部３１が下部シャッタ２を開状態にした後は、図９で表されるような案内を顧客操作部１０５に表示し、利用者が入出金口３内の硬貨や異物をすべて取り除いてからでないと入金取引が継続できないよう、硬貨検出センサ３ｂで硬貨を検出しなくなったことを確認した後に、シャッタを全閉の状態（上部シャッタ１および下部シャッタ２ともに閉状態）とし、上部シャッタ１のみを開状態とすることにより、取引を進めさせることで、異物／ゴミや装置仕様以上の硬貨が機器内に投入されることを防止する。
【００２７】
図１０を用いて、実施例２における硬貨投入処理手順を説明する。図１０は、図７で示される実施例２における硬貨処理装置１０１の投入処理のフローチャートである。先ず、制御部３１は上部シャッタ１を開けて（Ｓ１００１）、図７で表されるような開口部１２への硬貨の投入案内を顧客操作部１０５に表示させる（Ｓ１００２）。その後、制御部３１は、図７で表される硬貨検出センサ３ｂにて、媒体が検出されたか否かを判定し（Ｓ１００３）、媒体が検出されたと判定した場合（Ｓ１００３；Ｙｅｓ）、異物や硬貨量を確認する案内を表示する（Ｓ１００４）。一方、制御部３１は、媒体が検出されていないと判定した場合（Ｓ１００３；Ｎｏ）、Ｓ１００２に戻ってそのまま硬貨の投入案内を顧客操作部１０５に表示させる。
【００２８】
利用者が異物の混入がないことと目安線以下の硬貨量であることを確認し、制御部３１が、確認ボタンが押下されたか否かを判定し（Ｓ１００５）、確認ボタンが押下されたと判定した場合（Ｓ１００５；Ｙｅｓ）、上部シャッタ１を閉じ（Ｓ１００６）、入金取引を開始する（Ｓ１００７）。一方、確認ボタンが押下されていないと判定した場合（Ｓ１００５；Ｎｏ）、Ｓ１００４に戻って異物・硬貨量確認案内の表示続ける。
【００２９】
また、利用者が異物の混入、もしくは目安線以上の硬貨量を確認し、制御部３１が、不可ボタンが押下されたか否かを判定し（Ｓ１００８）、不可ボタンが押下されたと判定した場合（Ｓ１００８；Ｙｅｓ）、下部シャッタ２を開け（Ｓ１００９）、硬貨／異物全除去案内を顧客操作部１０５に表示させる（Ｓ１０１０）。一方、制御部３１は、不可ボタンが押下されていないと判定した場合（Ｓ１００８；Ｎｏ）、Ｓ１００４に戻って異物・硬貨量確認案内の表示続ける。
【００３０】
そして、制御部３１は、硬貨／異物全除去案内を表示させた後に、硬貨検出センサ３ｂにより硬貨が検出されたか否かを判定し（Ｓ１０１１）、硬貨検出センサ３ｂにより硬貨が検出されたと判定した場合（Ｓ１０１１；Ｙｅｓ）、Ｓ１０１０に戻って硬貨／異物全除去案内の表示を続ける。一方、制御部３１は、硬貨検出センサ３ｂにより硬貨が検出されていないと判定した場合（Ｓ１０１１；Ｎｏ）、一旦シャッタを全閉の状態とし（Ｓ１０１２）、Ｓ１００１に戻って再び上部シャッタ１を開け（Ｓ１００１）、取引を継続する。
【実施例３】
【００３１】
図１１は、硬貨処理装置１０１が有する上下２重シャッタと入出金口３の断面図である。本断面図を用いて、構成を説明する。図１１に示すように、入出金口３は、硬貨検知センサ３ｂと硬貨多量枚検知センサ３ｃを有し、実施例１、２の場合と同様に、下部シャッタ２が透明でかつ投入目安線２a、３aを有する。下部シャッタ２の開口部１２から投入された硬貨４aは、硬貨検出センサ３ｂにて検出される。この時に、制御部３１は、図１２で表されるような異物がないことの確認と目安線以下の硬貨量を投入しているかを確認する案内を顧客操作部１０５に表示させる。
【００３２】
本実施例に示すように、下部シャッタ２が透明であるため、利用者が下部シャッタ内部の状態を確認することができる。そのため、異物／ゴミの混入が確認された場合や、目安線以上の硬貨を投入した場合は、実施例２の場合と同様に「不可」のボタンを押し、制御部３１が下部シャッタ２を開状態とし、利用者自らが異物や硬貨を除去することが可能となる。さらに、本実施例では、制御部３１が下部シャッタ２開状態とした後は、図１３で表されるような案内を顧客操作部１０５に表示し、硬貨や異物を除去してもらうよう促すことで、異物／ゴミや装置仕様以上の硬貨が機器に投入されることを防止するようにする。
【００３３】
そして、利用者が異物や硬貨を除去した後に、確認ボタンを押すことで、シャッタを全閉の状態（上部シャッタ１および下部シャッタ２ともに閉状態）とすることで、入金取引開始となる。利用者によっては、シャッタを全開した状態で多量枚の硬貨を投入するため、異物有無と硬貨量確認の案内時に、不可ボタンを押し、シャッタを全開した状態で取引を継続しようと考える場合がある。それを避けるために、不可ボタン押下前と押下後で、硬貨多量枚検知センサ３ｃの状態を確認し、制御部３１が多量枚数の硬貨を検出しない状態から検出した状態に変化したと判定した場合、図１４で表されるような案内を顧客操作部１０５に表示し、利用者が入出金口３内の硬貨をすべて取り除いてからでないと入金取引が継続できないようする。
【００３４】
具体的には、制御部３１が硬貨検出センサ３ｂで硬貨を検出しなくなったことを確認した後に、シャッタを全閉の状態（上部シャッタ１および下部シャッタ２ともに閉状態）とし、さらにその後上部シャッタ１を開状態として取引を進めさせることで、異物／ゴミや装置の仕様以上の量の硬貨が機器に投入されることを防止するようにする。制御部３１は、硬貨多量枚検知センサ３ｃでの状態変化がないと判定した場合や、多量枚数の硬貨を検出した状態から検出しない状態に変化した場合には、シャッタを全閉し、入金取引を開始する。
【００３５】
図１５を用いて、硬貨投入処理手順を説明する。図１５は、図１１で示される実施例３における硬貨処理装置１０１の投入処理のフローチャートである。先ず、制御部３１は上部シャッタ１を開けて（Ｓ１５０１）、図１２で表されるような開口部１２への硬貨の投入案内を顧客操作部１０５に表示する（Ｓ１５０２）。その後、制御部３１は、図１１で表される硬貨検出センサ３ｂが媒体を検出したか否かを判定し（Ｓ１５０３）、硬貨検出センサ３ｂが媒体を検出したと判定した場合（Ｓ１５０３；Ｙｅｓ）、異物や硬貨量を確認する案内を顧客操作部１０５に表示する（Ｓ１５０４）。一方、制御部３１は、硬貨検出センサ３ｂが媒体を検出していないと判定した場合（Ｓ１５０３；Ｎｏ）、Ｓ１５０２に戻って硬貨の投入案内を継続して表示する。
【００３６】
そして、利用者が異物の混入がないことと目安線以下の硬貨量であることを確認し、制御部３１が、顧客操作部１０５が確認ボタンの押下を受け付けたか否かを判定し（Ｓ１５０５）、顧客操作部１０５が確認ボタンの押下を受け付けたと判定した場合（Ｓ１５０５；Ｙｅｓ）、上部シャッタ１を閉じ（Ｓ１５０６）、入金取引を開始する（Ｓ１５０７）。一方、制御部３１は、顧客操作部１０５が確認ボタンの押下を受け付けていないと判定した場合（Ｓ１５０５；Ｎｏ）、Ｓ１５０４に戻って異物・硬貨量確認案内の表示を続ける。
【００３７】
また、利用者が異物の混入、もしくは目安線以上の硬貨量を確認し、制御部３１が、顧客操作部１０５が不可ボタンの押下を受け付けたか否かを判定し（Ｓ１５０８）、顧客操作部１０５が不可ボタンの押下を受け付けたと判定した場合（Ｓ１５０８；Ｙｅｓ）、下部シャッタ２を開け（Ｓ１５０９）、異物／硬貨抜き取り案内を顧客操作部１０５に表示する（Ｓ１５１０）。一方、制御部３１は、顧客操作部１０５が不可ボタンの押下を受け付けていないと判定した場合（Ｓ１５０８；Ｎｏ）、Ｓ１５０４に戻って異物・硬貨量確認案内の表示を続ける。
【００３８】
その後、制御部３１は、確認ボタンが押下されたか否かを判定し（Ｓ１５１１）、確認ボタンが押下されていないと判定した場合（Ｓ１５１１；Ｎｏ）、異物／硬貨抜き取り案内を顧客操作部１０５に表示し続ける。一方、制御部３１は、確認ボタンが押下されたと判定した場合（Ｓ１５１１；Ｙｅｓ）、さらに硬貨多量枚検知センサ３ｃが検知しない状態から検知した状態に変化したか否かを判定し（Ｓ１５１２）、硬貨多量枚検知センサ３ｃが検知しない状態から検知した状態に変化したと判定した場合（Ｓ１５１２；Ｙｅｓ）、硬貨異物全除去案内を顧客操作部１０５に表示する（Ｓ１５１３）。
【００３９】
そして、制御部３１は、さらに硬貨検出センサ３ｂが硬貨を検出したか否かを判定し（Ｓ１５１４）、硬貨検出センサ３ｂが硬貨を検出したと判定した場合（Ｓ１５１４；Ｙｅｓ）、硬貨異物全除去案内を顧客操作部１０５に表示し続ける。一方、制御部３１は、硬貨検出センサ３ｂが硬貨を検出していないと判定した場合（Ｓ１５１４；Ｎｏ）、シャッタを全閉の状態とし（Ｓ１５１６）、Ｓ１５０１に戻って上部シャッタを開き、取引を継続する。
【００４０】
なお、Ｓ１５１２において、制御部３１が硬貨多量枚検知センサ３ｃが検知しない状態から検知した状態に変化していないと判定した場合（Ｓ１５１２；Ｎｏ）、シャッタを全閉の状態とし（Ｓ１５１７）、入金取引を開始する（Ｓ１５１８）。
【００４１】
以上、実施例１〜３に示したように制御部３１が上部シャッタ１および下部シャッタ２を制御することにより、利用者が硬貨の投入量、投入物を目視確認できるようにすることで、装置仕様以上の硬貨投入をしないように促すことや、ゴミ／異物の機器内への混入を防止することができるため、利用者の操作時間が短縮できかつ、故障や障害の発生を低減させることが可能になる。
【符号の説明】
【００４２】
１…上部シャッタ
２…下部シャッタ
２ａ…下部シャッタに実装された硬貨投入量の上限位置の目安線
３…入出金口
３ａ…入出金口に実装された硬貨投入量の上限位置の目安線
３ｂ…硬貨検知センサ
３ｃ…硬貨多量枚検知センサ
４…硬貨
５…繰出部
６…硬貨識別部
７…入金搬送部
８…一時保留部
９…スタッカ
１０…一括スタッカ、
１１…硬貨カセット
１２…開口部、
３１…制御部
３２…上部シャッタモータ
３３…上部シャッタ開センサ、
３４…上部シャッタ閉センサ
３５…下部シャッタモータ
３６…下部シャッタ開センサ
３７…下部シャッタ閉センサ
３８…メモリ
３９…上位装置
１００…現金自動取引装置
１０１…硬貨処理装置
１０２…カード・明細票取扱部
１０３…通帳取扱部
１０４…紙幣入出金機構部
１０５…顧客操作部。
【図１】
2013156832.tif 000003
【図２】
2013156832.tif 000004
【図３】
2013156832.tif 000005
【図４】
2013156832.tif 000006
【図５】
2013156832.tif 000007
【図６】
2013156832.tif 000008
【図７】
2013156832.tif 000009
【図８】
2013156832.tif 000010
【図９】
2013156832.tif 000011
【図１０】
2013156832.tif 000012
【図１１】
2013156832.tif 000013
【図１２】
2013156832.tif 000014
【図１３】
2013156832.tif 000015
【図１４】
2013156832.tif 000016
【図１５】
2013156832.tif 000017